(57)【要約】【課題】配線通過用のスリットを利用し、特別な空気流通路を設けなくても、発熱部品冷却及び侵入冷媒規制ができるようにした空気調和機の室内機を提供する。【解決手段】電装品箱本体１１の周壁板１１ａに、該周壁板１１ａの端部から切り込んで形成した配線通過用のスリットＳＬを設け、電装品箱蓋１２に、該スリットＳＬの一部を閉じるためのシャッタ板１２ａを設けた。スリットＳＬは、シャッタ板１２ａによって閉じられた部分以外が、配線通過用となる。【選択図】図７
2015059735.tif 000002
【特許請求の範囲】
【請求項１】
空調制御用のプリント基板が搭載される電装品箱が配置された空気調和機の室内機において、
前記電装品箱は、前記プリント基板が搭載されその周囲が周壁板で囲まれた電装品箱本体と、該電装品箱本体の前記周壁板で囲まれた空間の開放側を閉じる電装品箱蓋とを備え、
前記電装品箱本体の前記周壁板に、該周壁板の端部から切り込んで形成した配線通過用のスリットを設け、前記電装品箱蓋に、該スリットの一部を閉じるためのシャッタ板を設けて成ることを特徴とする空気調和機の室内機。
【請求項２】
請求項１に記載の空気調和機の室内機において、
前記スリットは、前記シャッタ板によって閉じられた部分以外が、配線通過用となることを特徴とする空気調和機の室内機。
【請求項３】
請求項１又は２に記載の空気調和機の室内機において、
前記スリットは、切り込みの開放端側が拡がった形状であることを特徴とする空気調和機の室内機。
【発明の詳細な説明】
【技術分野】
【０００１】
本発明は、電装品箱を備えた空気調和機の室内機に関する。
【背景技術】
【０００２】
空気調和機には、その室内機に空調制御用の電装品箱が装備されているが、その電装品箱に搭載されたプリント基板には、火種となり得る電気部品が多く組み込まれている。このため、冷凍サイクル用に可燃性の冷媒を使用する場合、その冷媒が配管から漏れ出て電装品箱に侵入したとき、その冷媒の濃度が所定値を超えると、火災を引き起こすおそれがある。
【０００３】
このような火災の発生を防止するには、冷媒が電装品箱内に侵入しないように、電装品箱を密閉構造にすればよいが、これでは発熱する電気部品の放熱ができなくなる。
【０００４】
そこで従来では、特許文献１に記載のように、室内機に、電装品箱から外部に通じる空気流通路を形成して、電装品箱内に冷媒が侵入したときは、その空気流通路を経由して冷媒を外部に放出できるようにして、電装品箱内に残留する冷媒の濃度を所定値以下にすることが行われている。
【先行技術文献】
【特許文献】
【０００５】
【特許文献１】特開平１１−０９４２９１号公報
【発明の概要】
【発明が解決しようとする課題】
【０００６】
しかしながら、特許文献１の構成では、特別な空気流通路を形成する必要がある。
【０００７】
本発明の目的は、配線通過用のスリットを利用し、特別な空気流通路を設けなくても、発熱部品の冷却及び内部に侵入する冷媒の量を規制できるようにした空気調和機の室内機を提供することである。
【課題を解決するための手段】
【０００８】
上記目的を達成するために、請求項１にかかる発明は、空調制御用のプリント基板が搭載される電装品箱が配置された空気調和機の室内機において、前記電装品箱は、前記プリント基板が搭載されその周囲が周壁板で囲まれた電装品箱本体と、該電装品箱本体の前記周壁板で囲まれた空間の開放側を閉じる電装品箱蓋とを備え、前記電装品箱本体の前記周壁板に、該周壁板の端部から切り込んで形成した配線通過用のスリットを設け、前記電装品箱蓋に、該スリットの一部を閉じるためのシャッタ板を設けて成ることを特徴とする。
請求項２にかかる発明は、請求項１に記載の空気調和機の室内機において、前記スリットは、前記シャッタ板によって閉じられた部分以外が、配線通過用となることを特徴とする。
請求項３にかかる発明は、請求項１又は２に記載の空気調和機の室内機において、前記スリットは、切り込みの開放端側が拡がった形状であることを特徴とする。
【発明の効果】
【０００９】
本発明によれば、電装品箱本体の周壁板に、該周壁板の端部から切り込んで形成した配線通過用のスリットを設け、電装品箱蓋に、スリットの一部を閉じるためのシャッタ板を設けたので、電装品箱蓋を電装品箱本体に対してかぶせてシャッタ板でスリットの一部を閉じたとき、スリットの残りの部分を空気流通可能な配線通過用とすることができる。このため、その配線通過用の部分によって、空気流通路を特別に形成することなく、発熱部品冷却のための通路を確保しながら、電装品箱に冷媒が侵入することによる電装品箱内の冷媒の残留濃度の上昇を防ぐことができる利点がある。また、このようにその配線通過用の部分は電装品箱内に浸入する冷媒の濃度が上がらない大きさに制限された空間となるので、電装品箱内の電気部品がたとえ発火したときでも、その炎が電装品箱の外に出ることを防止することができ、電装品箱の外に漏れ出ている冷媒に着火することを防止することができる利点もある。
【図面の簡単な説明】
【００１０】
【図１】本発明の１つの実施例の空気調和機の室内機の右側部分の斜視図である。
【図２】同室内機の右部分の前面パネルの内側に組み込まれる電装品箱の分解斜視図である。
【図３】電装品箱から電装品箱蓋と表示／受信ケースと人検知センサを取り外した状態の斜視図である。
【図４】表示／受信ケースと人検知センサを取り外した電装品箱本体と電装品箱蓋の組み合わせを示す斜視図である。
【図５】電装品箱の左側面図である。
【図６】図５のＡ−Ａ線の断面図である。
【図７】スリットとシャッタ板の説明図である。
【図８】別の例のスリットとシャッタ板の説明図である。
【発明を実施するための形態】
【００１１】
図１に本発明の１つの実施例の空気調和機の室内機の右側部分を示す。４０は熱交換器や後記する電装品箱１０等の構成部分の外側を覆う前面パネルであり、熱交換器用開口部４１、風向板４２、ディフューザ４３等が設けられる中央部分より右側の奥に、電装品箱１０を収納する領域４４が設けられる。４５はその領域４４に収納された電装品箱１０のメンテナンス用の着脱自在のメンテナンス蓋、４６は内側に後記する表示／受信ケース２０が配置される表示／受信部、４７は内側に後記する人検知センサ３０が配置される人検知センサ飾り枠である。
【００１２】
図２に電装品箱１０を分解した状態を示す。電装品箱１０は、電装品箱本体１１と、電装品箱蓋１２と、電装品箱本体１１に一体化された電源ケーブル取付部１３とで構成されている。電装品箱本体１１と電装品箱蓋１２と電源ケーブル取付部１３は、基体が樹脂製であるが、そのうちの電装品箱１０の電装品箱本体１１と電装品箱蓋１２には、外面に耐熱用および電磁シールド用の板金Ｂ（図６参照）が取り付けられている。そして、電源ケーブル取付部１３には、前記した表示／受信ケース２０が取り付けられ、さらにその表示／受信ケース２０には、前記した人検知センサ３０が取り付けられている。
【００１３】
電源ケーブル取付部１３では、下側から挿入され引出口１３ａから上方に引き出された電源ケーブル（図示せず）をバンド１３ｂで押さえてから、そのケーブルの先端を端子台１３ｃに接続することで、電源ケーブルが取り付けられる。表示／受信ケース２０は、電源ケーブル取付部１３のフック１３ｄと弾性片１３ｅ（図３、図４、図５参照）とに係合することで取り付けられる。この表示／受信ケース２０は、電源のオン/オフや現在の運転状況等を表示するＬＥＤ群と、リモコンの操作によって発射されたリモコン信号（光あるいは電波）を受信する受信器を備え、室内機の前面パネル４０の表示／受信部４６の裏面に配置される。人検知センサ３０は室内機近傍に人がいるか否かを検知するセンサであり、人検知センサ飾り枠４６の裏側に配置される。なお、これら電源ケーブル取付部１３、表示／受信ケース２０、人検知センサ３０等については本願発明と関係がないので、これ以上の詳しい説明は省略する。
【００１４】
電装品箱本体１１には、周囲のほぼ全周にわたって周壁板１１ａが設けられている。そして、その周壁板１１ａの内の左壁板１１ａ１に、前端部を開放端部とするように切り込みを形成することで、配線通過用の所定の深さの長方形のスリットＳＬが設けられている。このスリットＳＬの近傍には、電装品箱本体１１の奥面から伸びる配線Ｌをガイドする配線ガイド１１ｆ，１１ｇが形成されている（図４、図６）。また、この周壁板１１ａの内の下壁板１１ａ２には、電装品箱蓋１２を取り付けるための舌片１１ａ２１，１１ａ２２が形成されている。
【００１５】
また、周壁板１１ａで囲まれた内部は、周壁板１１ａと第１縦壁板１１ｂと第１横壁板１１ｃと第２横壁板１１ｄとによって、第１のプリント基板ＰＷＢ１の搭載領域が区画され、さらに、壁板１１ａと第１縦壁板１１ｂと第２横壁板１１ｄと第２縦壁板１１ｅによって第２のプリント基板ＰＷＢ２の搭載領域が区画されている。そして、この第１縦壁板１１ｂにおける第２のプリント基板ＰＷＢ２が搭載された側の壁面には、マイカシートＭＳが貼り付けられている。このマイカシートＭＳは、第１のプリント基板ＰＷＢ１の側と第２のプリント基板ＰＷＢ２の側との間を、熱的および電気的に絶縁するためのものである。
【００１６】
第１のプリント基板ＰＷＢ１が搭載される領域は、周壁板１１ａと第１縦壁板１１ｂと第１横壁板１１ｃと第２横壁板１１ｄとによって、第１のプリント基板ＰＷＢ１の大きさに対応した面積に区画されている。なお、第１縦壁板１１ｂの下端と第２横壁板１１ｄとは直接的には接触せず、そこには配線通過用および空気流通用の空間ＳＰが形成されている。
【００１７】
第１のプリント基板ＰＷＢ１には、第１縦壁板１１ｂと第１横壁板１１ｃとの内角に近い奥隅の部分に、ブザーＢＺが搭載されている（図４）。このブザーＢＺは、室内機の表示／受信ケースの受信器がリモコンの操作の信号を受信したときに鳴動するもので、その受信の確認用に使用されている。
【００１８】
電装品箱蓋１２は電装品箱本体１１に対応した大きさである。この電装品箱蓋１２には、その電装品箱蓋１２を電装品箱本体１１にかぶせたときに周壁板１１ａのスリットＳＬの内側の一部を閉じるシャッタ板１２ａが形成され、また、電装品箱本体１１の舌片１１ａ２１，１１ａ２２に係合するボックス１２ｂ，１２ｃが形成されている。
【００１９】
さて、電装品箱１０の電装品箱本体１１を電装品箱蓋１２によって閉じるに当たっては、電装品箱本体１１において、あらかじめ、第１および第２のプリント基板ＰＷＢ１，ＰＷＢ２に関するあらゆる配線の接続を完了させるとともに、第１のプリント基板ＰＷＢ１から延びる配線Ｌを配線ガイド１１ｆ，１１ｇにガイドさせてスリットＳＬから外部に引き出しておく。そして、電装品箱蓋１２を、そのボックス１２ｂ，１２ｃが電装品箱本体１１の舌片１１ａ２１，１１ａ２２に係合するように位置合わせをしてから、電装品箱蓋１２を電装品箱本体１１にかぶせる。
【００２０】
これにより、電装品箱蓋１２のシャッタ板１２ａが、電装品箱本体１１のスリットＳＬにおけるプリント基板ＰＷＢ２の側に位置する。このとき、そのシャッタ板１２ａの先端がそのスリットＳＬに挿通されている配線Ｌを押し付けることもある。また、シャッタ板１２ａ自体がスリットＳＬの開放端側のプリント基板ＰＷＢ２の側の一部を閉じるようになる（図６、図７参照）。これによって、スリットＳＬは、シャッタ板１２ａによって閉じられなかった領域の空間が、空気流通可能な配線通過用となり、その空間を介して空気が外部と電装品箱１０の内部との間を流通可能となる。
【００２１】
そこで、本実施例では、スリットＳＬの内の閉じられなかった配線通過用の空間が、電装品箱内に浸入する冷媒の残留濃度が着火しない程度に低くなり且つ発熱部品を冷却する空気が流通可能な大きさとなるように、そのスリットＳＬの長さと幅を設定する。この配線通過用の空間の大きさとしては、例えば、その実行直径Ｒを３ｍｍ以下にすることが望ましい。実行直径Ｒは、「Ｒ＝４×Ｓ／Ｌ」で求められる。Ｓは前記した空間の空気流通方向に直交する面の内の配線部分を除く部分の面積、Ｌはその面積部分の周囲長である。
【００２２】
これにより、冷媒配管から冷媒が漏れ出た場合であっても、前記した配線通過用の空間からその冷媒が電装品箱１０内に入り難くなり、電装品箱１０内での冷媒濃度を着火濃度以下に規制することができ、電装品箱１０の防爆を実現できる。また、電装品箱内の電気部品がたとえ発火したときでも、その炎が電装品箱の外に出ることを防止することができ、電装品箱の外に漏れ出ている冷媒に着火することを防止することができる。さらに、配線通過用の空間を通過する空気により電装品箱１０の冷却が可能となり、プリント基板ＰＷＢ１，ＰＷＢ２に搭載した発熱部品によって生じた熱の放熱を効果的に行うことも可能となる。
【００２３】
また、電装品箱本体１１を電装品箱蓋１２によって閉じたとき、電装品箱本体１１の奥面と周壁体１１ａの一部と第１縦壁板１１ｂと第１横壁板１１ｃと第２横壁板１１ｄと電装品箱蓋１２とによって、第１のプリント基板ＰＷＢ１に対応したほぼ同じ大きさの空間として形成される共鳴室ＲＥＳに閉じ込められる。
【００２４】
このため、その第１のプリント基板ＰＷＢ１の奥隅に搭載されているブザーＢＺが鳴動したとき、そのブザーＢＺを囲む共鳴室ＲＥＳがない場合に比べて、大きな反響音が発生する。
【００２５】
以上から、ブザーＢＺの鳴動音を大きくすることができるので、実際にブザーＢＺで鳴動する原音量を小さな音量にすることが可能となる。つまり、従来に比べて小さなブザーＢＺを使用することが可能となり、コストの低減を実現できる。
【００２６】
なお、ブザーＢＺの配置位置は、第１縦壁板１１ｂと第１横壁板１１ｃの内角に限らず、第１のプリント基板ＰＷＢ１を囲む周壁体１１ａの一部、第１縦壁板１１ｂ、第１横壁板１１ｃ、第２横壁板１１ｄ等の近傍に配置すればよい。
【００２７】
また、電装品箱本体１１のスリットＳＬは、以上で説明した長方形に限らず、図８に示すように、開放端側の両方の角に斜めのカット部１１ａ１１，１１ａ１２を形成することで、その開放端側を奥端よりも拡大した形状のスリットＳＬ２としてもよい。この場合、電装品箱蓋１２には、スリットＳＬ２の開放部の広さに応じて広くしたシャッタ板１２ｄを設ける。このような形状のスリットＳＬ２は、配線Ｌをそこにガイドする作業が容易になる。
【符号の説明】
【００２８】
ＰＷＢ１：第１のプリント基板、ＰＷＢ２：第２のプリント基板、ＲＥＳ：共鳴室、ＭＳ：マイカシート、ＢＺ：ブザー、ＳＰ：空間、ＳＬ、ＳＬ２：スリット、Ｂ：板金
１０：電装品箱
１１：電装品箱本体、１１ａ：周壁板、１１ａ１：左壁板、１１ａ１１，１１ａ１２：切欠き、１１ａ２：下壁板、１１ａ２１，１１ａ２２：舌片、１１ｂ：第１縦壁板、１１ｃ：第１横壁板、１１ｄ：第２横壁板、１１ｅ：第２縦壁板、１１ｆ，１１ｇ：配線ガイド
１２：電装品箱蓋、１２ａ：シャッタ板、１２ｂ，１２ｃ：ボックス
１３：電源ケーブル取付部、１３ａ：引出口、１３ｂ：バンド、１３ｃ：端子台、１３ｄ：フック、１３ｅ：弾性片
２０：表示／受信ケース
３０：人検知センサ
４０：前面パネル、４１：熱交換器用開口部、４２：風向板、４３：ディフューザ、４４：電装品箱収納領域、４５：メンテナンス蓋、４６：表示／受信部、４６：人検知センサ飾り枠
【図１】
2015059735.tif 000003
【図２】
2015059735.tif 000004
【図３】
2015059735.tif 000005
【図４】
2015059735.tif 000006
【図５】
2015059735.tif 000007
【図６】
2015059735.tif 000008
【図７】
2015059735.tif 000009
【図８】
2015059735.tif 000010